(57)【特許請求の範囲】
【請求項１】
加熱対象の湯水を貯留する貯留部及びその貯留部の湯水を加熱する加熱手段を備え、並びに、外部から供給される電力を前記加熱手段に供給する受電機構を底面に備えた有底円筒状の本体と、
電源コードを通して電源から供給される電力を外部に出力する給電機構を上面に備え、且つ、前記本体の円状底部を載置自在な載置部を備えた電源プレートとを備え、
前記本体を前記電源プレートの載置部に載置した給電姿勢において、前記受電機構と前記給電機構とが導通状態に接続されて、前記給電機構から前記受電機構に給電されるように構成された電気ケトルであって、
前記電源コードと前記電源プレートとが、前記電源コードに設けられたマグネットプラグと、前記電源プレートに設けられて、磁石の吸引力により前記マグネットプラグを着脱自在に保持する、矩形の枠部を有するプラグ受けケースを備えたプラグ受けとにより接続され、
前記プラグ受けの前記プラグ受けケースを収納する箱状のプラグ受けボックスを備え、
前記プラグ受けボックスが、前記電源プレートの径方向内方側に向く内側壁面、上側壁面、下側壁面、左側壁面及び右側壁面の５壁面を備え内部空間を形成するとともに、前記電源プレートの径方向外方側に向く開口部を備え、
前記電源プレートが、前記載置部の底面を形成する下側部材と前記載置部の上面を形成する上側部材とを備え、前記下側部材と前記上側部材とが前記プラグ受けケースを挟持する状態で組み付けられて、前記プラグ受けケースを前記プラグ受けボックスの前記内部空間内に収容可能に構成され、
前記下側部材と前記上側部材とを組み付けた状態で、前記プラグ受けボックスが、前記電源プレートの前記載置部の上面から上方に突出し、且つ、該プラグ受けボックスの略全体が前記電源プレートの前記載置部に前記給電姿勢で載置された前記本体の側方に突出する状態で、前記電源プレートにおける前記載置部の周方向の一部に連設形成され、
複数の滑り止め部材が、前記電源プレートにおける前記載置部の底面に分散して設けられると共に、前記載置部の底面において前記プラグ受けボックスが存在する部分に対応した位置にある滑り止め部材の底面積を合わせた総底面積を、前記底面において前記プラグ受けボックスが存在しない部分に対応した位置にある滑り止め部材の底面積を合わせた総底面積以上にする状態で配置されている電気ケトル。
【請求項２】
前記複数の滑り止め部材夫々が、平面視において、前記電源プレートの前記載置部に前記給電姿勢で載置された前記本体の外周近傍でその本体と重なる位置に位置するように、前記電源プレートにおける前記載置部の底面に設けられている請求項１に記載の電気ケトル。
【請求項３】
前記受電機構が、前記本体の底面の中央部に備えられ、前記給電機構が、前記電源プレートにおける前記載置部の上面の中央部に備えられ、
前記本体の円状底部における周方向の一部に、径方向外方に突出する突出部が、前記本体を前記給電姿勢で前記電源プレートの前記載置部に載置した状態で前記受電機構を中心に回転させた場合、前記プラグ受けボックスに当たる位置関係で設けられ、
前記本体が、その円状底部の突出部が前記プラグ受けボックスに乗り上がり、前記電源プレートの上面と前記プラグ受けボックスの上部とに跨った傾斜姿勢で前記電源プレートの前記載置部に載置された状態で、前記受電機構の接点と前記給電機構の接点とが非導通状態となる請求項１又は２に記載の電気ケトル。
【請求項４】
前記プラグ受けボックスにおける前記電源プレートの内方側に向く内側壁面が、前記電源プレートの内方側ほど下方側に位置する形態の内側下がり傾斜面に構成され、且つ、その内側下がり傾斜面状の内側壁面の両横部分の少なくとも下方側の部分が、水平面に対する傾斜度が前記内側壁面の周方向中央側の部分よりも大きい状態で側端の方ほど大きくなる急内側下がり傾斜面部に構成されて、
前記内側壁面における前記電源プレートの上面に接する下端縁のうち、前記急内側下がり傾斜面部に対応する下端縁が、側端の方ほど前記電源プレートの径方向外方に位置する構成とされている請求項３に記載の電気ケトル。
【発明の詳細な説明】
【技術分野】
【０００１】
本発明は、加熱対象の湯水を貯留する貯留部及びその貯留部の湯水を加熱する加熱手段を備え、並びに、外部から供給される電力を前記加熱手段に供給する受電機構を底面に備えた有底円筒状の本体と、電源コードを通して電源から供給される電力を外部に出力する給電機構を上面に備え、且つ、前記本体の円状底部を載置自在な載置部を備えた電源プレートとを備え、前記本体を前記電源プレートの載置部に載置した給電姿勢において、前記受電機構と前記給電機構とが導通状態に接続されて、前記給電機構から前記受電機構に給電されるように構成された加熱容器としての電気ケトルに関する。
【背景技術】
【０００２】
かかる電気ケトルは、本体を電源プレートに載置すると、本体の底面に備えられた受電機構と電源プレートの上面に備えられた給電機構とが導通状態に接続されて、加熱手段に給電されるように構成されたものである。
そして、貯留部に貯留されている湯水を極力速く沸騰させることができるように、加熱手段には比較的大きい電力（例えば１１００Ｗ程度）を供給するように構成されるものである。
【０００３】
このような電気ケトルにおいて、従来は、電源コードが電源プレートに直接接続されていた（例えば、特許文献１参照。）。
【先行技術文献】
【特許文献】
【０００４】
【特許文献１】特開２００９−１２５３５７号公報
【発明の概要】
【発明が解決しようとする課題】
【０００５】
しかしながら、従来の電気ケトルは、上述のように電源コードが電源プレートに直接接続されているので、電源コードが引っ張られると、その電源コードに引っ張られて電源プレートが動いて、その電源プレートに載置された本体が揺れ、最悪の場合転倒する虞があり、安全性を向上する上で改善の余地があった。
【０００６】
本発明は、かかる実情に鑑みてなされたものであり、その目的は、安全性を向上し得る電気ケトルを提供することにある。
【課題を解決するための手段】
【０００７】
上記目的を達成するための本発明に係る電気ケトルは、加熱対象の湯水を貯留する貯留部及びその貯留部の湯水を加熱する加熱手段を備え、並びに、外部から供給される電力を前記加熱手段に供給する受電機構を底面に備えた有底円筒状の本体と、電源コードを通して電源から供給される電力を外部に出力する給電機構を上面に備え、且つ、前記本体の円状底部を載置自在な載置部を備えた電源プレートとを備え、前記本体を前記電源プレートの載置部に載置した給電姿勢において、前記受電機構と前記給電機構とが導通状態に接続されて、前記給電機構から前記受電機構に給電されるように構成された電気ケトルであって、
その特徴構成は、前記電源コードと前記電源プレートとが、前記電源コードに設けられたマグネットプラグと、前記電源プレートに設けられて、磁石の吸引力により前記マグネットプラグを着脱自在に保持する、矩形の枠部を有するプラグ受けケースを備えたプラグ受けとにより接続され、
前記プラグ受けの前記プラグ受けケースを収納する箱状のプラグ受けボックスを備え、
前記プラグ受けボックスが、前記電源プレートの径方向内方側に向く内側壁面、上側壁面、下側壁面、左側壁面及び右側壁面の５壁面を備え内部空間を形成するとともに、前記電源プレートの径方向外方側に向く開口部を備え、
前記電源プレートが、前記載置部の底面を形成する下側部材と前記載置部の上面を形成する上側部材とを備え、前記下側部材と前記上側部材とが前記プラグ受けケースを挟持する状態で組み付けられて、前記プラグ受けケースを前記プラグ受けボックスの前記内部空間内に収容可能に構成され、
前記下側部材と前記上側部材とを組み付けた状態で、前記プラグ受けボックスが、前記電源プレートの前記載置部の上面から上方に突出し、且つ、その略全体が前記電源プレートの前記載置部に前記給電姿勢で載置された前記本体の側方に突出する状態で、前記電源プレートにおける前記載置部の周方向の一部に連設形成され、
複数の滑り止め部材が、前記電源プレートにおける前記載置部の底面に分散して設けられると共に、前記載置部の底面において前記プラグ受けボックスが存在する部分に対応した位置にある滑り止め部材の底面積を合わせた総底面積を、前記底面において前記プラグ受けボックスが存在しない部分に対応した位置にある滑り止め部材の底面積を合わせた総底面積以上にする状態で配置されている点にある。
【０００８】
上記特徴構成によれば、電源コードと電源プレートとが、電源コードに設けられたマグネットプラグと電源プレートに設けられたプラグ受けとにより接続されているので、電源コードが引っ張られても、マグネットプラグがプラグ受けから外れるので、電源プレートが動くのを抑制することができて、電源プレートに載置された本体が揺れたり転倒するのを抑制することができる。
しかも、プラグ受けを収納するプラグ受けボックスが、電源プレートの上面から上方に突出し、且つ、少なくとも上部が電源プレートに給電姿勢で載置された本体の側方に位置する状態で、電源プレートの周方向の一部に連設される構造であるので、電源プレートにおけるプラグ受けボックス以外の部分、即ち、本体を載置する部分には、厚さがプラグ受けよりもかなり薄い部材を採用することができる。つまり、加熱手段に比較的大きい電力を供給するために、マグネットプラグが大型になるのに伴ってプラグ受けが大型になっても、電源プレートにおけるプラグ受けボックス以外の部分を薄型化することができるようになり、電源プレートに本体を載置した状態の加熱容器全体の高さが高くなって不安定となるのを回避することができる。それにより、不測に電源コードが引っ張られてマグネットプラグがプラグ受けから外れるときに、電源プレートに載置された本体が揺れたり転倒するのをより一層抑制することができる。又、電源プレート内に不要な空間が形成されるのを防止することができる。
従って、安全性を向上し得る加熱容器を提供することができるようになった。
【００１０】
さらに、テーブル上等におかれている電源プレートが滑るのを妨げる力は、プラグ受けボックスが存在する部分に対応した位置にある滑り止め部材による力の方が、プラグ受けボックスが存在しない部分に対応した位置にある滑り止め部材による力よりも大きい。ちなみに、滑り止め部材により電源プレートがテーブル上等を滑るのを妨げる力は、滑り止め部材の静止摩擦力、吸着力、粘着力等により得られる。
つまり、電源プレートがテーブル上等におかれているときに、電源プレートの底面のうち、マグネットプラグが保持されているプラグ受けボックスが存在する部分は、プラグ受けボックスが存在しない部分よりもテーブル上等を滑り難くなり、電源コードと電源プレートとが接続されたままで、電源コードが引っ張られても、電源プレートの周方向のうちマグネットプラグが保持されているプラグ受けボックスが存在する部分が動くのを抑制することができる。又、電源コードが引っ張られても、電源プレートの周方向のうちマグネットプラグが保持されているプラグ受けボックスが存在する部分がテーブル上等を滑り難いので、マグネットプラグがプラグ受けから外れ易くなり、安全性を向上することができる。
従って、安全性をより一層向上することができるようになった。
【００１１】
本発明に係る電気ケトルの更なる特徴構成は、前記複数の滑り止め部材夫々が、平面視において、前記電源プレートの前記載置部に前記給電姿勢で載置された前記本体の外周近傍でその本体と重なる位置に位置するように、前記電源プレートにおける前記載置部の底面に設けられている点にある。
【００１２】
上記特徴構成によれば、本体の重量を複数の滑り止め部材に極力均等に分散して印加させるようにすることが可能となるため、電源コードが引っ張られても、電源プレートの周方向のうちマグネットプラグが保持されているプラグ受けボックスが存在する部分が動くのを確実に抑制することができる。しかも、複数の滑り止め部材により、電源プレートにおける極力外周側の部分を支持するようにすることが可能となるので、テーブル上等に置かれる電源プレートががたつくのを可及的に抑制することができるようになり、電源プレートにより本体を安定して載置支持することができる。
従って、安全性を更に向上することができるようになった。
【００１３】
本発明に係る電気ケトルの更なる特徴構成は、前記受電機構が、前記本体の底面の中央部に備えられ、前記給電機構が、前記電源プレートにおける前記載置部の上面の中央部に備えられ、
前記本体の底部における周方向の一部に、径方向外方に突出する突出部が、前記本体を前記給電姿勢で前記電源プレートの前記載置部に載置した状態で前記受電機構を中心に回転させた場合、前記プラグ受けボックスに当たる位置関係で設けられ、
前記本体が、その底部の突出部が前記プラグ受けボックスに乗り上がり、前記電源プレートの上面と前記プラグ受けボックスの上部とに跨った傾斜姿勢で前記電源プレートの前記載置部に載置された状態で、前記受電機構の接点と前記給電機構の接点とが非導通状態となる点にある。
【００１４】
上記特徴構成によれば、使用者が、本体を、その底部の突出部がプラグ受けボックスに乗り上がった状態で、電源プレートの上面とプラグ受けボックスの上部とに跨った傾斜姿勢で電源プレートに載置しても、受電機構の接点と給電機構の接点とが非導通状態である。従って、本体が転倒の虞がある不安定な傾斜姿勢で電源プレートに載置された状態で、加熱手段に給電されて湯水を加熱してしまうことを防止することができる。
又、接点の不安定な導通状態を防止できるため、接触抵抗の増大による接点部の発熱を抑制することができる。
【００１５】
ところで、上述の突出部は、例えば以下に記載する目的で設けられることになる。
即ち、通常、本体の側周面には、加熱手段への通電を断続するスイッチ手段を操作するための操作具等が設けられる。そこで、上述のように本体に突出部を設けて、その突出部の上方に操作具等を設けるようにすることにより、操作具等の少なくとも下方側を突出部によりカバーするのである。
従って、万が一、本体を傾斜姿勢で電源プレートに載置しても、本体の貯留部に貯留されている湯水が加熱されることがなく、又、接点の不安定な導通状態に起因した接点部の発熱を抑制することができるので、安全性を更に向上することができる。
【００１６】
本発明に係る電気ケトルの更なる特徴構成は、前記プラグ受けボックスにおける前記電源プレートの内方側に向く内側壁面が、前記電源プレートの内方側ほど下方側に位置する形態の内側下がり傾斜面に構成され、且つ、その内側下がり傾斜面状の内側壁面の両横部分の少なくとも下方側の部分が、水平面に対する傾斜度が前記内側壁面の周方向中央側の部分よりも大きい状態で側端の方ほど大きくなる急内側下がり傾斜面部に構成されて、
前記内側壁面における前記電源プレートの上面に接する下端縁のうち、前記急内側下がり傾斜面部に対応する下端縁が、側端の方ほど前記電源プレートの径方向外方に位置する構成とされている点にある。
【００１７】
上記特徴構成によれば、プラグ受けボックスの内側壁面が内側下がり傾斜面に構成されているので、本体を電源プレートに載置するときに、本体の底部がプラグ受けボックスの内側下がり傾斜面状の内側壁面に当たっても、その内側下がり傾斜面状の内側壁面により本体が電源プレートの中央側に向けて案内されるので、載置し易くなり使い勝手が良い。
【００１８】
又、本体を電源プレートから持ち上げるときは、その前に、本体に設けられているハンドルを手前に位置させるように、電源プレートに載置されている本体を受電機構を中心に回転させ、あるいは、本体を電源プレートに載置したときは、ハンドルを邪魔にならない位置に位置させるように、電源プレートに載置されている本体を受電機構を中心に回転させることができ、使い勝手が良い。
そして、電源プレートに載置されている本体を受電機構を中心に回転させるときに、本体の底部の突出部がプラグ受けボックスの下部に当たっても、本体の底部の突出部がプラグ受けボックスの内側壁面の下端部に乗り上げた中途半端な姿勢で、本体が電源プレートに載置されるのを防止することができる。
つまり、電源プレートに載置されている本体を受電機構を中心に回転させた場合でも、急内側下がり傾斜面部があるので、給電姿勢と傾斜姿勢（給電されない）との２つの姿勢のいずれかをとることとなるので、本体が中途半端な姿勢になることがない。
従って、給電機構の接点と受電機構の接点とが近接状態になってスパークするといった不都合を防止することができる。
【図面の簡単な説明】
【００１９】
【図１】電気ケトルの外観を示す斜視図
【図２】ケトル本体が電源プレートから持ち上げられた状態での電気ケトルの斜視図
【図３】ケトル本体の縦断側面図
【図４】ケトル本体が電源プレートから持ち上げられた状態での電気ケトルの下部の縦断面図
【図５】ケトル本体が電源プレートに載置された給電状態での電気ケトルの下部の縦断面図
【図６】電源プレートの平面図
【図７】電源プレートの底面図
【図８】電源プレートの分解斜視図
【図９】電源プレートのプラグ受けボックスを説明する図
【図１０】ケトル本体が電源プレートの載置部の上面とプラグ受けボックスの上部とに跨った傾斜姿勢で電源プレートに載置された状態を示す図
【図１１】別実施形態に係る電源プレートの底面図
【図１２】別実施形態に係る電源プレートの底面図
【発明を実施するための形態】
【００２０】
以下、図面に基づいて、本発明を加熱容器の一例としての電気ケトルに適用した場合の実施形態を説明する。
図１及び図２に示すように、電気ケトルは、電源プレートＰとその電源プレートＰに載置自在なケトル本体（本体に相当する）Ｋとを備えて構成されている。
図３〜図５に示すように、ケトル本体Ｋには、加熱対象の湯水を貯留する貯留部１及びその貯留部１の湯水を加熱する加熱手段としての電気ヒータ２が備えられ、並びに、外部から供給される電力を電気ヒータ２に供給する受電機構３が底面の中央部に位置する状態で備えられている。
図２、図４及び図５に示すように、電源プレートＰには、電源コード４を通して電源（商用電源のコンセント等）から供給される電力を外部に出力する給電機構５が上面の中央部に位置する状態で備えられている。
そして、ケトル本体Ｋを電源プレートＰに載置した給電姿勢において、受電機構３と給電機構５とが導通状態に接続されて、給電機構５から受電機構３に給電されるように構成されている。
【００２１】
図１、図２及び図５に示すように、本発明では、電源コード４と電源プレートＰとが、電源コード４に設けられたマグネットプラグ６と、電源プレートＰに設けられて、磁石２２（後述するようにマグネットプラグ６に設けられている）の吸引力によりマグネットプラグ６を着脱自在に保持するプラグ受け７とにより接続され、プラグ受け７を収納するプラグ受けボックス８が、電源プレートＰの上面から上方に突出し、且つ、少なくとも上部が電源プレートＰに給電姿勢で載置されたケトル本体Ｋの側方に位置する状態で、電源プレートＰの周方向の一部に連設されている。
【００２２】
次に、電気ケトルの各部について説明を加える。
図１〜図３に示すように、前記ケトル本体Ｋは、前記貯留部１を内部に備えて上側開放の概略有底円筒状に構成された本体ボディ９と、その開放された開口を覆う蓋体１０とを主な部材として備えて構成されている。本体ボディ９の下部は、底部ほど小径となる下窄み状に構成されている。
蓋体１０は、本体ボディ９の開口の外周部に設けられた横方向の揺動軸１０ａ（図３参照）周りに揺動自在に構成されており、蓋体１０を上側に揺動させて蓋を開放した状態で、本体ボディ９内に水を注水することが可能となる。一方、蓋体１０が本体ボディ９の開口を閉止した状態で、湯水の加熱が可能となっている。ここで、貯留部１内の湯水とは、貯留部１内に注水された水、及び、その注水された水が電気ヒータ２により加熱された湯を総称するものである。
【００２３】
ケトル本体Ｋの蓋体１０には、前記貯留部１に貯留されている湯水を注ぐ注口１１、蓋体１０を開閉するための蓋体開閉操作部１２、及び、蒸気を排出する蒸気口１３が設けられている。
又、ケトル本体Ｋの本体ボディ９の上側部における注口１１に対してケトル本体前後方向反対側に対応する箇所には、上下方向に延びる状態で棒状のハンドル１４が設けられている。
本体ボディ９の側部には、後述する蒸気路１５を収納する空間を形成するために、上端から下端に延びる帯状の膨出部９ａが形成され、本体ボディ９の底部の周方向の一部には、径方向外方に突出して本体ボディ９の側部の膨出部９ａの底部を閉じる突出部９ｂが設けられている。
前記ハンドル１４は、その上端が膨出部９ａの上端に支持される片持ち状態で設けられている。
【００２４】
図３に示すように、注口１１の内部側には、その注口１１を開閉する給湯操作用の弁１６が設けられており、更に、ハンドル１４の上端部には、弁１６を開閉操作するための給湯操作ボタン１７が設けられている。
弁１６は、上方側に復帰付勢された状態で上下方向に移動操作自在に設けられ、下方に押し下げる力が働いていない状態で、注口１１を閉じるように構成されている。
給湯操作ボタン１７は、押し込み操作自在に構成されて、図３に示すように、給湯操作ボタン１７が押し込まれていない状態では、弁１６を下方側に押し下げる力が働いていない状態となって弁１６が閉じられ、図示を省略するが、給湯操作ボタン１７が押し込み姿勢に操作されると、弁１６が下方側に押し下げられて弁１６が開かれるように構成されている。
つまり、給湯操作ボタン１７が押し込み姿勢に無い限り、ケトル本体Ｋを傾けても注口１１から湯がでることがなく、給湯操作ボタン１７を押し込み操作すると、注口１１からの出湯が可能となる。
【００２５】
図３〜図５に示すように、前記電気ヒータ２は、貯留部１の底面に、環状に設けられている。
前記受電機構３について説明を加えると、図３〜図５に示すように、受電機構３は、ケトル本体Ｋの底部の中心側の箇所に、その底面から引っ込んだ状態で、前記給電機構５を嵌め込むことが可能な円状の給電機構嵌め込み用凹部１８ｄ内に設けられている。
その受電機構３は、ピン状の中心電極３ａ（接点に相当する）と、その中心電極３ａの外周部にその中心電極３ａと同心状に設けられた環状電極３ｂ（接点に相当する）と、その環状電極３ｂの外周部に設けられた環状のアース用電極３ｃとを備えて構成されている。ちなみに、中心電極３ａと環状電極３ｂは、後述する給電機構５の中心穴５Ａと環状穴５Ｂに夫々設けられた給電用の中心電極５ａ、外側電極５ｂ（接点に相当する）に接続されて、それらの電極から供給される電力を受ける受電用の電極であり、アース用電極３ｃは、後述する給電機構５のアース用電極５ｃに接続される。尚、受電機構３のアース用電極３ｃ及び給電機構５のアース用電極５ｃは省略しても良い。
【００２６】
本体ボディ９における底部の突出部９ｂの上方には、電気ヒータ２への通電を断続するスイッチ手段としての連動ユニット１８を操作する操作具１９が設けられている。
この連動ユニット１８は、電気ケトルにおいて広く用いられているものであり、受電機構３と操作具１９とを連結している。
この連動ユニット１８について、詳細な説明を省略して簡単に説明すると、底部側に前記給電機構嵌め込み用凹部１８ｄが形成されたユニット本体１８ａと、そのユニット本体１８ａから横方向に延びる固定腕部１８ｂと、その固定腕部１８ｂの上部側に設けられ、ユニット本体１８ａに対して上下方向に揺動自在な揺動腕部１８ｃとを備えて構成され、その揺動腕部１８ｃの遊端に、その揺動腕部１８ｃと一体的に揺動操作自在なように前記操作具１９が連結されている。
前記受電機構３は、その外側環状電極３ｃが連動ユニット１８の給電機構嵌め込み用凹部１８ｄに内嵌される形態で、その給電機構嵌め込み用凹部１８ｄ内に設けられている。
【００２７】
固定腕部１８ｂの外周側端には、ケトル本体Ｋ上部から蒸気路１５を通して導かれる蒸気を検知する蒸気検知具２０（具体的にはバイメタル等の蒸気感応板からなり、蒸気に感応して変形する）が備えられている。
図５で実線で示すように、ケトル本体Ｋが電源プレートＰに給電姿勢で載置されていても、操作具１９が上方側の待機姿勢に保たれている状態では、連動ユニット１８にて構成されるスイッチ手段がオフ状態になっている。
そして、ケトル本体Ｋが電源プレートＰに給電姿勢で載置された状態で、図５で一点鎖線で示すように、操作具１９が押し下げ操作されて揺動腕部１８ｃが下方に揺動されると、貯留部１内の湯水が沸騰していない状態では蒸気が蒸気検知具２０に導かれることがなくて蒸気検知具２０が変形しないので、揺動腕部１８ｃが加熱維持姿勢に維持されて、連動ユニット１８にて構成されるスイッチ手段がオン状態に保持されることになって、電気ヒータ２への給電が行われる。従って、水の加熱が開始される。
加熱によりケトル本体Ｋ内の水が沸騰すると、その湯から発生する蒸気がケトル本体Ｋ側部に設けられた蒸気路１５を通って蒸気検知具２０に到達し、この蒸気検知具２０の蒸気検知に伴って、下方に揺動姿勢保持されていた前記揺動腕部１８ｃの姿勢保持が解除されて、上方に揺動復帰されるとともに、連動ユニット１８にて構成されるスイッチ手段がオフ状態になって電気ヒータ２への給電が停止される。同時に操作具１９は、加熱維持姿勢から待機姿勢に復帰する。
【００２８】
図１に示すように、マグネットプラグ６は、プラグケース２１を用いて構成されている。つまり、プラグケース２１には、一対の磁石２２がプラグケース２１の前面中央から突出する状態で設けられ、一対の接点用凹部２３が一対の磁石２２の両側に振り分けた状態で設けられている。図示を省略するが、各接点用凹部２３の底部には接点が設けられている。
図１及び図８に示すように、プラグ受け７は、矩形状の枠部２５を備えたプラグ受けケース２４を用いて構成されている。つまり、プラグ受けケース２４の枠部２５内に、鉄片２６がその枠部２５内の中央に位置する状態で設けられ、並びに、一対の円柱状の電極２７が鉄片２６の両側に振り分けられた状態で鉄片２６よりも突出するように設けられている。ちなみに、プラグ受けケース２４は、耐熱性及び難燃性の優れた樹脂、例えば、フェノール樹脂により形成される。
そして、図１及び図２に示すように、マグネットプラグ６の先端部をプラグ受け７の枠部２５に挿入すると、一対の磁石２２の鉄片２６に対する引き付け作用により、一対の接点用凹部２３に一対の電極２７が嵌まり込んだ状態で保持されて、プラグ受け７とマグネットプラグ６とが導通状態で接続される。
【００２９】
電源プレートＰについて説明を加えると、図２、図５及び図６に示すように、電源プレートＰは、ケトル本体Ｋの円状底部よりも大径の円形プレート状の載置部２８とその載置部２８の周方向の一部に連接された前記プラグ受けボックス８とを備えて構成されている。つまり、プラグ受けボックス８の略全体が、ケトル本体Ｋを載置する載置部２８の側方に位置する構造である。
【００３０】
給電機構５は、外観形状が概略円柱状に構成されて、載置部２８の中央にその上面から突出するように設けられている。
給電機構５について説明を加えると、図４〜図６に示すように、給電機構５は、中心穴５Ａと、その中心穴５Ａと同心に設けられた環状穴５Ｂとを備え、これら穴５Ａ、５Ｂに夫々設けられる中心電極５ａ、外側電極５ｂ（接点に相当する）と、給電機構５の円柱状外周部位の周方向一部に設けられるアース用電極５ｃとを備えて構成されている。
そして、図４及び図５に示すように、ケトル本体Ｋが電源プレートＰ上に給電姿勢で載置されると、給電機構５がケトル本体Ｋ底部の給電機構嵌め込み用凹部１８ｄ内に嵌り込んで、給電機構５と受電機構３の互いの電極が電気的に接続されて給電が可能となる。
【００３１】
図１、図５〜図７及び図９に示すように、プラグ受けボックス８は、電源プレートＰの径方向内方側に向く内側壁面８ｆ、上下側両壁面８ｔ、８ｂ及び左右側両壁面８ｈ、８ｍの５壁面で覆われて、電源プレートＰの径方向外方側を向く開口部を備えた箱状に構成されている。
【００３２】
図５及び図８に示すように、電源プレートＰは、載置部２８の底面及びプラグ受けボックス８の下側壁面８ｂを形成する下側部材３１と、載置部２８の上面並びにプラグ受けボックス８の内側壁面８ｆ、上側壁面８ｔ及び左右側両壁面８ｈ、８ｍを形成する上側部材３２とを、プラグ受け７を挟持する状態で組み付けることにより構成される。下側部材３１及び上側部材３２は、プラグ受けケース２４を形成する樹脂よりも耐熱性及び難燃性が低い樹脂、例えばＰＰ（ポリプロピレン）樹脂により形成される。
【００３３】
上側部材３２におけるプラグ受けボックス８の上側壁面８ｔを形成する部分の裏面には、一対の四角筒状の係合部３２ｃが突設され、プラグ受けケース２４の上部には、前記一対の係合部３２ｃが嵌まり込んで係止される一対の四角枠状の嵌め込み部２４ｃが設けられている。そして、プラグ受けケース２４の一対の嵌め込み部２４ｃに上側部材３２の一対の係合部３２ｃを嵌め込んだ状態で、下側部材３１と上側部材３２とをプラグ受け７を挟持する状態で組み付けることにより、プラグ受け７が、確実に抜け止めされた状態でプラグ受けボックス８内に収納されることになる。
【００３４】
更に、図１及び図５に示すように、上述のように下側部材３１と上側部材３２とをプラグ受け７を挟持する状態で組み付けると、プラグ受けケース２４の枠部２５がプラグ受けボックス８の開口部から突出する状態となるように構成されている。
つまり、プラグ受けボックス８はプラグ受けケース２４を形成するフェノール樹脂よりも耐熱性及び難燃性が低いＰＰ樹脂にて形成されているが、プラグ受けケース２４の枠部２５をプラグ受けボックス８の開口部から突出させることにより、マグネットプラグ６をプラグ受け７に装着するときやプラグ受け７から取り外すときにスパークが発生しても、スパークの影響がプラグ受けボックス８に及ぶのを抑制して、プラグ受けボックス８の開口部の劣化を防止するようにしている。
【００３５】
図示を省略するが、プラグ受けボックス８内に収納されたプラグ受け７と給電機構５とを接続するケーブルは、下側部材３１と上側部材３２との間に形成される空間のうち、載置部２８に対応する部分の内部に配線される。
つまり、プラグ受けボックス８の略全体（少なくとも上部）が電源プレートＰの載置部２８に載置されたケトル本体Ｋの側方に位置する構造とすることにより、電源プレートＰの載置部２８内には、前記ケーブル等、厚さがプラグ受け７よりもかなり薄い部材を収納することで足りる。それによって、載置部２８を薄型化することができ、電源プレートＰにケトル本体Ｋを載置した状態の電気ケトル全体の高さが高くなるのを回避することができる。
【００３６】
図１、図２及び図６に示すように、プラグ受けボックス８の上側壁面８ｔには、使用者に電源プレートを水洗いしないように警告するためのメッセージ（例えば、「水洗い禁止」等）を表示したラベル２９が貼付されている。
【００３７】
図５、図６及び図９に示すように、プラグ受けボックス８の内側壁面８ｆが、電源プレートＰの内方側ほど下方側に位置する形態の内側下がり傾斜面に構成され、且つ、その内側下がり傾斜面状の内側壁面８ｆの両横部分の少なくとも下方側の部分が、水平面に対する傾斜度（図９の（ｂ）において傾斜角度α２）が内側壁面８ｆの周方向中央側の部分の傾斜度（図９の（ｂ）において傾斜角度α１）よりも大きい状態で側端の方ほど大きくなる急内側下がり傾斜面部８ｆｓに構成されて、内側壁面８ｆにおける電源プレートＰの上面に接する下端縁８ｅのうち、急内側下がり傾斜面部８ｆｓに対応する下端縁８ｅｓが、側端の方ほど電源プレートＰの径方向外方に位置する状態となるように構成されている。
尚、図９の（ａ）は、プラグ受けボックス８の斜視図であり、（ｂ）は、内側壁面８ｆの周方向中央側の部分と両横部分との間の水平面に対する傾斜度の違いを説明する図である。
【００３８】
具体的には、図５に示すように、プラグ受けボックス８の内側壁面８ｆは、下窄み状のケトル本体Ｋの下部外周面に沿うように、凹状湾曲面状の内側下がり傾斜面に構成されている。
又、図６及び図９に示すように、両側の急内側下がり傾斜面部８ｆｓの下端縁は、弧状になるように構成されている。
【００３９】
図１及び図５に示すように、ケトル本体Ｋを前記給電姿勢で電源プレートＰに載置した状態で受電機構３を中心に回転させると、そのケトル本体Ｋの底部の突出部９ｂがプラグ受けボックス８の下部に当たることとなる。
そして、プラグ受けボックス８の内側壁面８ｆの両横部分が急内側下がり傾斜面部８ｆｓに構成されて、その急内側下がり傾斜面部８ｆｓに対応する下端縁８ｅｓが側端の方ほど電源プレートＰの径方向外方に位置する弧状となるように構成されているので、ケトル本体Ｋが給電姿勢で電源プレートＰに載置された状態で受電機構３を中心に回転されても、ケトル本体Ｋの底部の突出部９ｂがプラグ受けボックス８の内側壁面８ｆの下部に乗り上げて、その乗り上げ姿勢が維持されることがないように構成されている。
【００４０】
又、図１０に示すように、ケトル本体Ｋが、その底部の突出部９ｂがプラグ受けボックス８の上部に完全に乗り上がり、電源プレートＰの載置部２８の上面とプラグ受けボックス８の上部とに跨った傾斜姿勢で電源プレートＰに載置された状態で、受電機構３と給電機構５とが非導通状態となるように、受電機構３、給電機構５が夫々ケトル本体Ｋ、電源プレートＰに設けられている。
具体的には、ケトル本体Ｋが上述のような傾斜姿勢で電源プレートＰに載置された状態では、給電機構５がケトル本体Ｋ底部の給電機構嵌め込み用凹部１８ｄ内に嵌まり込まない状態となって、接点同士が接触しない（スパークしない）ように、受電機構３、給電機構５が夫々ケトル本体Ｋ、電源プレートＰに設けられて、受電機構３と給電機構５とが非導通状態になるようになっている。
【００４１】
図５及び図７に示すように、複数（この実施形態では４個）の滑り止め部材３３が、電源プレートＰの底面に分散して設けられ、この設置形態が本願の特徴とされている。尚、以下の説明、及び、図面においては、電源プレートＰの底面に分散して設けられた滑り止め部材の設置位置を区別するために、滑り止め部材を示す符号（例えば「３３」）に添え字「ａ」を付して、電源プレートＰの底面においてプラグ受けボックス８が存在する部分に対応した位置に位置する滑り止め部材を示し、滑り止め部材を示す符号（例えば「３３」）に「ｂ」を付して、電源プレートＰの底面においてプラグ受けボックス８が存在しない部分に対応した位置に位置する滑り止め部材を示す。
即ち、電源プレートＰの底面においてプラグ受けボックス８が存在する部分に対応した位置にある滑り止め部材３３ａの底面積を合わせた総底面積を、前記底面においてプラグ受けボックス８が存在しない部分に対応した位置にある滑り止め部材３３ｂの底面積を合わせた総底面積以上にする状態で配置されている。
更に、この実施形態では、複数の滑り止め部材３３が、電源プレートＰの底面においてその周方向に分散して設けられている。
【００４２】
電源プレートＰの底面においてプラグ受けボックス８が存在する部分に対応した位置とは、図７において、一点鎖線のハッチングにて示すように、平面視において、プラグ受けボックス８の最外周部にて囲まれた領域Ｈを示す。ちなみに、プラグ受けボックス８の最外周部のうち、電源プレートＰの内方側の部分は、プラグ受けボックス８の内側壁面８ｆにおける電源プレートＰの上面に接する下端縁８ｅであり、その他の部分は、下側壁面８ｂの周縁部である。
そして、滑り止め部材３３ａが電源プレートＰの底面においてプラグ受けボックス８が存在する部分に対応した位置にあるとは、滑り止め部材３３ａの底面の少なくとも一部が領域Ｈ内に存在する状態をいう。
【００４３】
４個の滑り止め部材３３は、夫々、同径（底面積が同一）の円柱状滑り止め部材３４にて構成されている。そして、４個の円柱状滑り止め部材３４のうちの２個の円柱状滑り止め部材３４ａが電源プレートＰの底面においてプラグ受けボックス８が存在する部分に対応した位置に周方向に沿って並べて設けられ、残りの２個の円柱状滑り止め部材３４ｂが電源プレートＰの底面においてプラグ受けボックス８が存在しない部分に対応した位置に設けられている。ここで、２個の円柱状滑り止め部材３４ａは、電源プレートＰの載置部２８の中心からプラグ受けボックスを２分割する方向に向かう直線（図７において、載置部２８の中心から左方向に向かう直線）に対して、それぞれ１０°程度ずれて配置されている。一方、２個の円柱状滑り止め部材３４ｂは、同直線に対してそれぞれ１２０°程度ずれて配置されている。従って、円柱状滑り止め部材３４ａ（２個）と２個の円柱状滑り止め部材３４ｂとはそれぞれ、電源プレートＰの載置部２８を中心とする中心角で、概ね１２０°ずれた３箇所に分散配置されている。
ちなみに、円柱状滑り止め部材３４はゴム製であり、静止摩擦力、吸着力、粘着力等により、滑り止めするように構成され、円柱状滑り止め部材３４の底面積が大きいほどテーブル上等を滑るのを妨げる力が大きくなる。
【００４４】
更に、この実施形態では、４個の円柱状滑り止め部材３４夫々が、平面視において、電源プレートＰに給電姿勢で載置されたケトル本体Ｋの外周近傍でそのケトル本体Ｋと重なる位置（即ち、ケトル本体Ｋの最外周部（図７で破線で示した部分）の内方側近傍）に位置するように、電源プレートＰの底面に設けられている。
図５に示すように、この実施形態では、ケトル本体Ｋは、その本体ボディ９の底面における中央側の部分が電源プレートＰの載置部２８の上面に当接する状態で、電源プレートＰに給電姿勢で載置されるように構成されている。
【００４５】
ちなみに、電源プレートＰをテーブル上等に載置したときに電源プレートＰのがたつきを防止するには、電源プレートＰをその底面の周方向に略均等に分散した３点で支持するのが好ましく、滑り止め部材３３を電源プレートＰの底面の周方向に略均等に分散した３箇所に設けるのが好ましい。
本実施形態では、４個の滑り止め部材３３としての円柱状滑り止め部材３４を電源プレートＰの底面に設けることになるが、電源プレートＰの底面の周方向に略均等に分散した３箇所のうち、電源プレートＰの周方向においてプラグ受けボックス８が存在する部分に対応した１箇所には、２個の円柱状滑り止め部材３４ａを互いに近づけて設け、他の２箇所には円柱状滑り止め部材３４ｂを１個ずつ設けるので、実質的には、電源プレートＰをその底面の周方向に略均等に分散した３点で支持することになる。勿論、２個の円柱状滑り止め部材３４ａは近づけて設ける必要はなく、２個の円柱状滑り止め部材３４ａを電源プレートＰの周方向に離して設けて、４点支持にしても良い。
【００４６】
〔別実施形態〕
次に別実施形態を説明する。
（Ａ）  複数の滑り止め部材３３を、電源プレートＰの底面においてプラグ受けボックス８が存在する部分に対応した位置にある滑り止め部材３３ａの底面積を合わせた総底面積を、前記底面においてプラグ受けボックス８が存在しない部分に対応した位置にある滑り止め部材３３ｂの底面積を合わせた総底面積以上にする状態で、電源プレートＰの底面に周方向に分散して設けるに当たって、その配置形態、配置位置、個数、各滑り止め部材３３の形状等は、上記の実施形態において例示したものに限定されるものではなく、以下、その別実施形態として一例を説明する。
【００４７】
（Ａ−１）  例えば、図１１の（ａ）に示すように、上記の実施形態と同様の円柱状滑り止め部材３４を４個設ける場合、電源プレートＰの底面においてプラグ受けボックス８が存在する部分に対応した位置に設ける２個の滑り止め部材３４ａを、平面視において、電源プレートＰに給電姿勢で載置されたケトル本体Ｋの最外周部（図１１の（ａ）で破線で示した部分）の外方側近傍と内方側近傍とに振り分けた状態で、電源プレートＰの径方向に沿って並べて設けても良い。
【００４８】
（Ａ−２）  又、図１１の（ｂ）〜（ｄ）に示すように、電源プレートＰの底面においてプラグ受けボックス８が存在する部分に対応した位置には、電源プレートＰの底面においてプラグ受けボックス８が存在しない部分に対応した位置にある滑り止め部材３３ｂの底面積を合わせた総底面積よりも大きい底面積を有する１個の滑り止め部材３３ａを設けても良い。この場合、電源プレートＰの底面においてプラグ受けボックス８が存在する部分に対応した位置には、滑り止め部材３３ａがその中央を、電源プレートＰの載置部２８の中心からプラグ受けボックスを２分割する方向に向かう直線（図１１（ｂ）〜（ｄ）において、載置部２８の中心から左方向に向かう直線）上に位置させるように配置されている。一方、２個の滑り止め部材３３ｂは、同直線に対してそれぞれ１２０°程度ずれて配置されている。従って、滑り止め部材３３ａと２個の滑り止め部材３３ｂとはそれぞれ、電源プレートＰの載置部２８を中心とする中心角で、概ね１２０°ずれた３箇所に分散配置されている。これにより、電源プレートＰをその底面の周方向に略均等に分散した３点で支持することになり、電源プレートＰをがたつかないようにテーブル上等に載置することが可能となる。
【００４９】
以下、例えば、電源プレートＰの周方向において略均等に分散した３箇所のうち、プラグ受けボックス８が存在しない部分に対応した２箇所には、上記の実施形態と同様に円柱状滑り止め部材３４ｂを１個ずつ設ける場合について説明を加える。
図１１の（ｂ）及び（ｃ）に示すように、電源プレートＰの底面においてプラグ受けボックス８が存在する部分に対応した位置には、２個の円柱状滑り止め部材３４ｂの底面積を合わせた総底面積よりも大きい面積の長方形状の底面を有する１個の長方形状滑り止め部材３５を設けても良い。
そして、そのような長方形状滑り止め部材３５は、図１１の（ｂ）に示すように、長手方向を電源プレートＰの周方向に沿わせた状態で設けても良い。あるいは、図１１の（ｃ）に示すように、長方形状滑り止め部材３５を、長手方向を電源プレートＰの径方向に沿わせて設けても良い。尚、図１１の（ｂ）の例では、長方形状滑り止め部材３５を、平面視において、電源プレートＰに給電姿勢で載置されたケトル本体Ｋの最外周部（図１１の（ｂ）で破線で示した部分）の内方側近傍に設け、図１１の（ｃ）に示す例では、長方形状滑り止め部材３５を、平面視において、電源プレートＰに給電姿勢で載置されたケトル本体Ｋの最外周部（図１１の（ｃ）で破線で示した部分）の真下に設けてある。
又、図１１の（ｄ）に示すように、電源プレートＰの底面においてプラグ受けボックス８が存在する部分に対応した位置には、２個の円柱状滑り止め部材３４ｂの底面積を合わせた総底面積よりも大きい面積の円形の底面を有する大径円柱状滑り止め部材３６を設けても良い。尚、図１１の（ｄ）に示す例では、大径円柱状滑り止め部材３６を、電源プレートＰに給電姿勢で載置されたケトル本体Ｋの最外周部（図１１の（ｄ）で破線で示した部分）の真下に設けてある。
【００５０】
（Ａ−３）  更に、複数の滑り止め部材３３を電源プレートＰの底面に周方向に分散して設けるに当たっては、上記の実施形態のように、全ての滑り止め部材３３を、平面視において、電源プレートＰに給電姿勢で載置されたケトル本体Ｋの最外周部の内方側近傍に位置するように設ける場合に限定されるものではない。
例えば、全ての滑り止め部材３３を、平面視において、電源プレートＰに給電姿勢で載置されたケトル本体Ｋの最外周部の真下に位置するように設けても良い。
あるいは、平面視において、複数の滑り止め部材３３のうちの一部を、電源プレートＰに給電姿勢で載置されたケトル本体Ｋの最外周部の内方側に位置し、残りを、電源プレートＰに給電姿勢で載置されたケトル本体Ｋの最外周部の外方側に位置するように設けても良い。
例えば、図１２の（ａ）に示すように、電源プレートＰの底面においてプラグ受けボックス８が存在する部分に対応した位置では、２個の円柱状滑り止め部材３４ａをケトル本体Ｋの最外周部（図１２の（ａ）で破線で示した部分）の外方側近傍に設け、電源プレートＰの底面においてプラグ受けボックス８が存在しない部分に対応した位置では、２個の円柱状滑り止め部材３４ｂをケトル本体Ｋの最外周部の内方側近傍に設けても良い。
あるいは、図１２の（ｃ）に示すように、電源プレートＰの底面においてプラグ受けボックス８が存在する部分に対応した位置では、２個の円柱状滑り止め部材３４ａをケトル本体Ｋの最外周部（図１２の（ｃ）で破線で示した部分）の外方側近傍に設け、電源プレートＰの底面においてプラグ受けボックス８が存在しない部分に対応した位置では、２個の円柱状滑り止め部材３４ｂをケトル本体Ｋの中央側に偏らせて設けても良い。
これら図１２の（ａ）、（ｃ）に示すように、電源プレートＰの底面においてプラグ受けボックス８が存在する部分に対応した位置では、２個の円柱状滑り止め部材３４ａを左側壁面８ｈの近傍と右側壁面８ｍの近傍とに電源プレートＰの周方向に離して設けて、４点支持にしても良い。
又、図１２の（ｂ）に示すように、全ての滑り止め部材３３を、平面視において、電源プレートＰに給電姿勢で載置されたケトル本体Ｋの最外周部（図１２の（ｂ）で破線で示した部分）の外方側近傍に設けても良い。
【００５１】
（Ａ−４）  又、ケトル本体Ｋの底部に、電源プレートＰの上面に当接する脚部を環状に設ける。そして、複数の滑り止め部材３３を、平面視において、電源プレートＰに給電姿勢で載置されたケトル本体Ｋの環状の脚部の真下に位置するように設けても良い。
【００５２】
（Ｂ）  プラグ受けボックス８の外形は、上記の実施形態において例示した形状に限定されるものではなく、箱状で、電源プレートＰの径方向内方側に向く内側壁面８ｆ、上側壁面８ｔ、下側壁面８ｂ、左側壁面８ｈ及び右側壁面８ｍの５壁面を備え内部空間を形成するとともに、電源プレートＰの径方向外方側に向く開口部を備えた構成であれば種々の形状に構成することができる。例えば、プラグ受けボックス８の内側壁面８ｆを、上記の実施形態では内側下がり傾斜面に構成したが、載置部２８の上面に垂直な面に構成しても良い。
【００５３】
（Ｃ）  上記の実施形態では、受電機構３をケトル本体Ｋの底面の中央部に備え、給電機構５を電源プレートＰの載置部２８における上面の中央部に備える場合について例示したが、ケトル本体Ｋの底面における受電機構３の位置、及び、電源プレートＰの上面における給電機構５の位置は種々に変更可能である。
【産業上の利用可能性】
【００５４】
以上説明したように、安全性を向上し得る電気ケトル等の加熱容器を提供することができる。
【符号の説明】
【００５５】
１      貯留部
２      電気ヒータ(加熱手段)
３      受電機構
３ａ    中心電極(受電機構の接点)
３ｂ    環状電極(受電機構の接点)
４      電源コード
５      給電機構
５ａ    中心電極（給電機構の接点）
５ｂ    外側電極（給電機構の接点）
６      マグネットプラグ
７      プラグ受け
８      プラグ受けボックス
８ｂ    下側壁面
８ｅ    下端縁
８ｆ    内側壁面
８ｆｓ  急内側下がり傾斜面部
８ｈ    左側壁面
８ｍ    右側壁面
８ｔ    上側壁面
９ｂ    突出部
２２    磁石
２４    プラグ受けケース
２５    矩形の枠部
２８    載置部
３１    下側部材
３２    上側部材
３３    滑り止め部材
Ｋ      ケトル本体（本体）
Ｈ      電源プレートの底面においてプラグ受けボックスが存在する部分に対応した位置Ｐ      電源プレート
【図１】
0005522830.tif 000002
【図２】
0005522830.tif 000003
【図３】
0005522830.tif 000004
【図４】
0005522830.tif 000005
【図５】
0005522830.tif 000006
【図６】
0005522830.tif 000007
【図７】
0005522830.tif 000008
【図８】
0005522830.tif 000009
【図９】
0005522830.tif 000010
【図１０】
0005522830.tif 000011
【図１１】
0005522830.tif 000012
【図１２】
0005522830.tif 000013